(57)【要約】【課題】オーディオデータの再生時に、再生進行時間表示の違和感を無くす。【解決手段】再生中のデータから検出された再生進行時間と、現在表示出力させている再生進行時間とを比較し、比較結果に基づいて、その際に検出された再生進行時間の時間値を表示するか、或いは現在表示させている再生進行時間の時間値を表示上で維持するかを決める。例えば検出された再生進行時間の時間値が、現在表示させている再生進行時間の時間値より戻った値となっている場合は、表示中の再生進行時間を維持する。【選択図】図２
2008204551.tif 000002
【特許請求の範囲】
【請求項１】
記録媒体に記録されたデータを再生する再生部と、
上記再生部で再生されたデータから再生進行時間を逐次検出する時間情報検出部と、
時間情報検出部が検出した再生進行時間と、現在表示出力させている再生進行時間との比較を行い、比較結果に応じて、表示させる再生進行時間を設定する制御部と、
を備えたことを特徴とする再生装置。
【請求項２】
上記制御部は、
上記比較結果として、上記時間情報検出部で検出した再生進行時間が、現在表示出力させている再生進行時間よりも時間的に進んだ値となっていることを判別した場合は、上記時間情報検出部で検出した再生進行時間を、表示させる再生進行時間とし、
上記比較結果として、上記時間情報検出部で検出した再生進行時間が、現在表示出力させている再生進行時間より時間的に戻った値となっていることを判別した場合は、表示させている再生進行時間の値を維持させることを特徴とする請求項１に記載の再生装置。
【請求項３】
上記制御部は、
上記比較結果として、上記時間情報検出部で検出した再生進行時間が、現在表示出力させている再生進行時間よりも時間的に進んだ値となっていることを判別した場合は、上記時間情報検出部で検出した再生進行時間を、表示させる再生進行時間とし、
上記比較結果として、上記時間情報検出部で検出した再生進行時間が、現在表示出力させている再生進行時間より所定時間以内の戻った値となっていることを判別した場合は、表示させている再生進行時間の値を維持させることを特徴とする請求項１に記載の再生装置。
【請求項４】
上記記録媒体に記録されたデータは、可変ビットレートの圧縮方式でエンコードされたオーディオデータであることを特徴とする請求項１に記載の再生装置。
【請求項５】
上記時間情報検出部は、逐次、上記再生部で再生されたデータについての先頭からのデータ量と、現在のビットレートを用いた演算により再生進行時間を検出することを特徴とする請求項１に記載の再生装置。
【請求項６】
記録媒体に記録されたデータを再生する再生ステップと、
上記再生ステップで再生されたデータから再生進行時間を逐次検出する時間情報検出ステップと、
時間情報検出ステップで検出した再生進行時間と、現在表示出力させている再生進行時間との比較を行い、比較結果に応じて、表示させる再生進行時間を設定する制御ステップと、
を備えたことを特徴とする時間表示方法。
【発明の詳細な説明】
【技術分野】
【０００１】
本発明は再生装置と、時間表示方法に関し、特に記録媒体に記録されたデータの再生の際に再生進行時間を表示する処理に関する。
【背景技術】
【０００２】
【特許文献１】特開２００２−７４９２０号公報
【特許文献２】特開２００３−１５６９１号公報
【特許文献３】特開２００３−３１６３９０号公報
【特許文献４】特開２００４−４５５９０号公報
【特許文献５】特開２００５−３７７４３号公報
【特許文献６】特開２００５−３１０３０６号公報
【０００３】
オーディオデータの圧縮方式の１つであるＭＰ３(MPEG Audio Layer-3)が広く知られるようになっており、さらにこのＭＰ３によりオーディオデータをエンコードする手法の１つとして、ＶＢＲ(Variable Bit Rate：可変ビットレート）が知られている。ＶＢＲ方式は、例えばオーディオデータの構成単位であるフレーム毎にビットレートを変更することができる。このため例えば１曲の音楽としてのオーディオデータ内で、データ内容（音声内容）に応じてデータ量を少なくしたり、多くすることができ、これによって聴感上の品質を良好に維持しながら、効率的にデータサイズを低減できる。
【発明の開示】
【発明が解決しようとする課題】
【０００４】
しかしながら、ＶＢＲ方式でエンコードされたＭＰ３オーディオデータ（以下「ＶＢＲ−ＭＰ３方式」という）のファイルを再生している場合には、再生進行時間を表示する際に不都合が生じることがある。
通常、ＶＢＲ−ＭＰ３方式のオーディオデータの再生時には、再生進行時間、即ち曲（ファイル）の先頭からの現在の再生箇所までの時間は、
（ファイル先頭から現在の再生位置までのデータ量）／（ビットレート）
で求められる。
【０００５】
ところが、フレーム毎（フレームとは、ＭＰ３オーディオデータ構造の最小単位）にビットレート可変のＶＢＲ方式の場合には、上記の演算では、正確な再生進行時間が得られない。
例えば、低ビットレートのフレームが連続した後に、高ビットレートのフレームが存在するような場合、直前の再生進行時間より時間値が戻った再生進行時間が算出されるようなことが生ずる。そして、このようにして得られた再生進行時間の時間値が表示画面に表示されると、それを見たユーザは大きな違和感を感じることとなる。場合によってはユーザが装置の不具合と誤認してしまうこともある。
【０００６】
一方、上記各特許文献にはこのような事情に応じて、ＶＢＲ方式のデータの再生時において、ビットレートの平均値を上記演算の分母として用いるなどにより、比較的正確な再生進行時間を算出できるようにする技術が開示されている。
ところが、そのために装置の演算処理の負担が大きくなる。また、より正確な再生進行時間を求めようとするほど、処理負担は増大する。
【０００７】
そこで本発明では、例えばＶＢＲ方式のデータの再生時でも、再生進行時間の算出に処理負担を増大させず、さらにＶＢＲ方式以外のデータの再生にも適用できる処理方式を提案する。またそれによって、再生進行時間に関して違和感が生ずるような表示を解消する。
【課題を解決するための手段】
【０００８】
本発明の再生装置は、記録媒体に記録されたデータを再生する再生部と、上記再生部で再生されたデータから再生進行時間を逐次検出する時間情報検出部と、時間情報検出部が検出した再生進行時間と、現在表示出力させている再生進行時間との比較を行い、比較結果に応じて、表示させる再生進行時間を設定する制御部とを備える。
特に上記制御部は、上記比較結果として、上記時間情報検出部で検出した再生進行時間が、現在表示出力させている再生進行時間よりも時間的に進んだ値となっていることを判別した場合は、上記時間情報検出部で検出した再生進行時間を、表示させる再生進行時間とする。一方、上記比較結果として、上記時間情報検出部で検出した再生進行時間が、現在表示出力させている再生進行時間より時間的に戻った値（或いは所定時間以内の戻った値）となっていることを判別した場合は、表示させている再生進行時間の値を維持させる。
また上記時間情報検出部は、逐次、上記再生部で再生されたデータについての先頭からのデータ量と、現在のビットレートを用いた演算により再生進行時間を検出する。
【０００９】
本発明の時間表示方法は、記録媒体に記録されたデータを再生する再生ステップと、上記再生ステップで再生されたデータから再生進行時間を逐次検出する時間情報検出ステップと、時間情報検出ステップで検出した再生進行時間と、現在表示出力させている再生進行時間との比較を行い、比較結果に応じて、表示させる再生進行時間を設定する制御ステップとを備える。
【００１０】
即ち本発明では、再生中のデータから検出された再生進行時間と、現在表示出力させている再生進行時間とを比較し、比較結果を得る。そして比較結果に基づいて、その際に検出された再生進行時間の時間値を表示するか、或いは現在表示させている再生進行時間の時間値を表示上で維持するかを決める。
【発明の効果】
【００１１】
本発明によれば、再生中のデータから検出された再生進行時間の時間値が、表示中の再生進行時間の時間値よりも時間的に戻った場合（或いは所定時間内で時間が戻った場合）には、表示中の再生進行時間がそのまま維持されて表示される動作が実現される。つまり、通常再生中に、表示中の再生進行時間の時間値が戻ったりするような、違和感を生じさせる表示を解消できる。
また、違和感のある表示を解消するために、再生進行時間を正確に検出するために複雑な演算処理を行うものではなく、再生進行時間は単純な演算でもとめ、その結果が不都合な場合は表示されている時間値を維持するものであるため、複雑な演算処理を必要とせず、処理負担の増大はない。さらに、このことは、ＶＢＲ−ＭＰ３などの特定の方式のデータだけでなく、他の可変ビットレート方式のデータ、固定ビットレート方式のデータ、さらには他の圧縮方式のデータ、非圧縮データなどに広く共通に適用できるという利点もある。
【発明を実施するための最良の形態】
【００１２】
以下、本発明の実施の形態について説明する。実施の形態では、再生装置の例としてＭＰ３オーディオデータを再生するＭＰ３プレーヤを例に挙げる。
図１はＭＰ３プレーヤとしての再生装置１のブロック図である。図中の光ディスク５０は、ＶＢＲ−ＭＰ３方式のオーディオデータファイルが記録された例えばＣＤ−ＲＯＭフォーマットの記録媒体であるとする。
ここで、図１のブロック図の説明に先立ち、この光ディスク５０に記録されているオーディオデータファイルの構造について図３で説明する。
【００１３】
図３（ａ）は、オーディオデータファイルの構造を示している。光ディスク５０のデータ領域は、このようなファイルが１又は複数記録されている。１つのファイルは、例えば音楽としての１曲に相当する。
各ファイルは、ＶＢＲ−ＭＰ３方式によるファイルシステムにより管理されており、メディアにおける物理的なデータ書き込み／読み出しの最小単位である、２０４８バイトから成る複数のセクタの集合から構成されている。なお、１セクタに含まれるフレームの数は、各フレームのサイズに応じて変化する。
図３（ｂ）にフレームの構造を示す。各フレームは、図示するように、ヘッダ、サイド情報、メインデータ及び付加データを有して構成される。
なお、１フレーム（１フレーム内のメインデータ）は、例えば再生音声として数１０ｍｓｅｃ程度の時間長となるデータ単位である。
【００１４】
図３（ｃ）には、ヘッダの構造を示す。
ヘッダは、例えば図示するように、同期データ部、ＩＤデータ部、レイヤデータ部、ＣＲＣ部、ビットレート部を有して構成される。
【００１５】
ＶＢＲ−ＭＰ３方式により圧縮されたオーディオデータファイルは、フレーム単位でビットレート可変とされる。つまり図３（ｂ）に示した各フレームにおけるメインデータとしてのオーディオデータは、フレーム毎に異なるビットレートで圧縮エンコードされることが許容されている。例えば各フレーム毎に、３２ｋｂｐｓ、４０ｋｂｐｓ、４８ｋｂｐｓ、５６ｋｂｐｓ、６４ｋｂｐｓ、８０ｋｂｐｓ、９６ｋｂｐｓ、１１２ｋｂｐｓ、１２８ｋｂｐｓ、１６０ｋｂｐｓ、１９２ｋｂｐｓ、２２４ｋｂｐｓ、２５６ｋｂｐｓ、３２０ｋｂｐｓのうちのいずれかのビットレートとすることができる。
そして図３（ｃ）のようにヘッダにはビットレート部が含まれるが、このビットレート部に、そのフレームで採用している上記いずれかのビットレートがビットレートインデックスとして示されている。
つまりデータ再生時には、フレーム単位で、ヘッダのビットレート部からビットレートを確認し、そのビットレートによりメインデータのデコードを行う。
【００１６】
説明を図１に戻す。
光ディスク５０は、再生時にはスピンドルモータ１１によって一定線速度（ＣＬＶ）もしくは一定角速度（ＣＡＶ）で回転駆動される。
光ピックアップ１３は光ディスク５０に対してレーザ照射を行い、その反射光を検出する。反射光検出信号はＲＦアンプ１５へ供給される。
ＲＦアンプ１５は、光ピックアップ１３で検出された反射光信号に基づいて再生情報信号（再生ＲＦ信号）、フォーカスエラー信号、トラッキングエラー信号等を生成する。
【００１７】
ＲＦアンプ１５で生成された再生情報信号はデコーダ１７に供給される。
デコーダ１７は、例えば二値化、再生クロック生成、ＥＦＭ復調等のランレングスリミテッドコード復調、ＣＤ−ＲＯＭデコード、ＥＣＣエラー訂正処理、ＭＰ３デコード処理などを行い、例えばリニアＰＣＭデジタルオーディオデータを復調する。
なお、ＭＰ３デコード処理過程では、上記のフレーム単位でデコードを行う。後述するが、このフレームデコードの際にその時点の再生進行時間の算出処理が行われる。
【００１８】
デコーダ１７で復調されたデジタルオーディオデータはＤ／Ａ変換器１８に供給され、アナログオーディオ信号に変換されて音声出力部１９に供給される。
音声出力部１９は、図示しない音声信号生成部や増幅回路部及びスピーカを有し、音声出力を行う。
【００１９】
サーボ制御部１６は、ＲＦアンプ１５で生成されたフォーカスエラー信号、トラッキングエラー信号に基づいて、フォーカスサーボ制御、トラッキングサーボ制御などのサーボ制御を実行する。即ちフォーカスエラー信号、トラッキングエラー信号に応じてフォーカスドライブ信号、トラッキングドライブ信号を生成し、二軸ドライバ１４により光ピックアップ１３内で対物レンズを保持している二軸機構を駆動させ、フォーカスサーボ制御、トラッキングサーボ制御を行う。またサーボ制御部１６は、図示していないスレッド機構による光ピックアップ１３のディスク半径方向の移動制御も行う。
またサーボ制御部１６は、例えばデコーダ１７から得られる回転速度エラー情報に基づいてスピンドルサーボ信号を生成し、スピンドルドライバ１２によるスピンドルモータ１１の回転駆動を制御することで、光ディスク５０のＣＬＶ回転又はＣＡＶ回転のサーボ制御を行う。
【００２０】
制御部２０は、ＣＰＵ（Central Processing Unit）、メモリ領域、インターフェース部等を備えたマイクロコンピュータにより構成され、動作プログラムに基づいて再生装置１の全体制御や各種演算処理を行う。
表示部２１は、制御部２０の制御に応じて表示を行う。例えば液晶ディスプレイなどの表示デバイスが採用される。本例の場合、表示部２１には、オーディオ再生中に、再生進行時間が表示部２１に表示される。再生進行時間とは、再生中の曲などの現在時間、即ちオーディオデータファイルの先頭（曲の開始）から起算した現在の時間のことである。
【００２１】
ところで、ＭＰ３オーディオデータファイルについての再生進行時間は、
（ファイル先頭から現在の再生位置までのデータ量）／（ビットレート）
の演算により求めることができると先に述べた。
また、ＶＢＲ−ＭＰ３方式のデータの場合、フレーム毎のビットレートが不定であることから、この演算では正確な再生進行時間が算出できないことも述べた。
例えばデコーダ１７は、フレーム単位でデコード処理を行う際に、ファイルの先頭フレームから、現在のフレームまでのデータ量から、現在のフレームのビットレートを除算することで再生進行時間を算出するが、フレーム毎にビットレートが可変のＶＢＲ−ＭＰ３の場合、このような演算で正確に再生進行時間が算出できないことは明らかである。
【００２２】
そして、例えば制御部２０が、デコーダ１７で算出された再生進行時間としての時間値をそのまま表示部２１に表示させると、場合によっては通常再生中に表示される再生進行時間が戻ってしまうという現象が発生することもある。例えば表示上で、再生進行時間としての分／秒が、・・・「１：３０」→「１：３１」→「１：３２」→「１：３１」・・・などというように変化してしまうこともあり、ユーザに違和感を抱かせる。
そこで本例では、制御部２０が再生進行時間の表示に関して図２の処理を行うことで、このような表示上の不都合を解消する。
【００２３】
制御部２０は、図２のステップＦ１０１〜Ｆ１０９の処理を、例えば２００ｍｓｅｃ間隔程度の割込処理により実行する。
まず、ステップＦ１０１において、制御部２０は時間情報を取得する。すなわち、制御部２０はデコーダ１７に対して再生進行時間の問い合わせを行い、デコーダ１７からのレスポンスとして、再生時間情報としての時間値を取得する。デコーダ１７は制御部２０からの問い合わせのあった時点でデコードしていたフレームにおいて、上記の演算で算出した再生進行時間を制御部２０に通知することになる。
【００２４】
次にステップＦ１０２で制御部２０は変数「今回時間」を設定する。
なお制御部２０は、この図２の処理で、変数として「今回時間」「前回時間」を用いる。このステップＦ１０２においては、デコーダ１７から通知された再生進行時間の値を「今回時間」にセットすることになる。
ステップＦ１０３において、制御部２０は「今回時間」が０：００（＝０分０秒）であるか否か判別する。「今回時間」が０：００とは、曲（ファイル）の再生開始時点という状況にある場合であり、この場合のみ、制御部２０は処理をステップＦ１０４に進め、変数「前回時間」を初期化する。つまり制御部２０は「前回時間」に０：００をセットする。
【００２５】
ステップＦ１０５では、制御部２０は「今回時間」と「前回時間」を比較する。例えば「前回時間」−「今回時間」の演算を行い、差が「１」（＝１秒）であるか否かを確認する。
「前回時間」−「今回時間」＝１であった場合は、ステップＦ１０６に進み、「今回時間」に「前回時間」の値を代入する。
一方、「前回時間」−「今回時間」≠１であった場合は、ステップＦ１０７に進み、「前回時間」に「今回時間」の値を代入する。
そしてステップＦ１０８で「今回時間」として保持されている時間値を、再生進行時間として表示部２１の表示用時間値として出力する。
以上のステップＦ１０１〜Ｆ１０８の処理を、ステップＦ１０９で再生停止と判断するまで繰り返す。再生停止と判断するのは、例えば全てのオーディオデータファイルの再生が終了した場合や、あるいはユーザの再生停止操作などによって再生を終了させる場合である。
【００２６】
以上の処理により、次のような動作が実現される。
まず「今回時間」として、デコーダ１７で算出された再生進行時間が保持される。
一方、「前回時間」としては、その時点で表示部２１で表示されている再生進行時間の時間値が保持されることになる。
例えば２００ｍｓｅｃ間隔で図２の処理が行われる場合、デコーダ１７で算出される再生進行時間が常に正しいと仮定すると、或る時点でステップＦ１０１で取得される再生進行時間は、前回（約２００ｍｓｅｃ前）のステップＦ１０１の処理でデコーダ１７から取得した再生進行時間と同じ値か、もしくは＋１秒の値となっているはずである。
そして前回デコーダ１７から取得した再生進行時間は、前回のステップＦ１０７で「前回時間」に代入されている。
従って、今回、ステップＦ１０２で設定した「今回時間」と「前回時間（つまり前回の今回時間）」を比較すると、ステップＦ１０５の「前回時間」−「今回時間」の演算結果は「０」又は「−１」という値になるはずである。
逆に言えば、「前回時間」−「今回時間」＝「０」となる場合は、今回デコーダ１７が検出した再生進行時間は、前回デコーダ１７が検出した再生進行時間と同じであり、また、「前回時間」−「今回時間」＝「−１」となる場合は、今回デコーダ１７が検出した再生進行時間は、前回デコーダ１７が検出した再生進行時間から１秒進んでいる値である。
すると、ＶＢＲ−ＭＰ３の場合において上記した事情により、デコーダ１７における再生進行時間の検出の信頼性は高くないとし、算出時間値としての誤差は含まれているとはいえ、今回デコーダ１７から取得し「今回時間」にセットした時間値を、ステップＦ１０８で、表示部２の表示データとしても問題ないことになる。
【００２７】
一方、デコーダ１７での再生進行時間の算出誤差が大きくなり、前回よりも時間的に１秒戻った時間値が、ステップＦ１０１で取得されたことを考える。
この場合、ステップＦ１０５の「前回時間」−「今回時間」の演算結果は「１」となる。そしてこの場合、ステップＦ１０６で、「今回時間」に「前回時間」の値が代入された後、ステップＦ１０７で「今回時間」が表示用の時間値とされる。
結局、デコーダ１７から取得した再生進行時間が、前回より１秒戻った値になった場合は、その１秒戻った時間値ではなく、現在表示されている時間値（「前回時間」に保持されている時間値）が、再生進行時間として表示部２１に表示されることになる。
つまり、ユーザが視認する表示上では、再生進行時間が１秒戻ってしまうということはない。
【００２８】
つまり図２の処理が行われることで、通常の再生動作としてオーディオデータ再生が進行しているにもかかわらず、表示画面上に表示される再生進行時間の時間値が１秒戻ってしまうといった時間表示の逆行は発生しなくなる。これによってユーザが表示に対して違和感を感じることをなくすことができる。
【００２９】
なお、図２の処理では、ステップＦ１０５で「前回時間」−「今回時間」＝１の場合のみ、ステップＦ１０６に進むこととしている。
これは、再生進行時間が１秒戻ってしまう状況となったときのみ、現在表示中の再生進行時間を表示上で維持する動作となる。つまりデコーダ１７で検出した再生進行時間が、現在表示出力させている再生進行時間より１秒という所定時間以内の戻った値となっている場合のみ、表示させている再生進行時間の値を維持させる動作である。
ところがこの場合、もし、デコーダ１７から取得した再生進行時間が２秒以上戻った値となった場合は、ステップＦ１０５からＦ１０７に進むことになるため、２秒以上戻った再生進行時間が表示されてしまうことになる。
但し、２秒以上戻った再生進行時間がデコーダ１７で算出されるのは非常に稀であり、また何らかの異常な状態が発生した場合と考えることもできるため、実用上は、２秒以上戻るような場合は、そのまま表示させるという処理でも問題ない。
【００３０】
一方、２秒以上の場合でも表示上で再生進行時間を戻さないようにするには、ステップＦ１０５の判断を、例えば、
「前回時間」−「今回時間」≧１？
とすればよい。
このようにすると、デコーダ１７で算出した再生進行時間が、現在表示中の再生進行時間より戻っている場合は、常に現在表示中の再生進行時間が維持され、表示上で時間が戻るといったことはなくなる。
【００３１】
以上の実施の形態によれば、再生中のデータ（例えばＶＢＲ−ＭＰ３方式のオーディオデータ）から検出された再生進行時間の時間値が、表示中の再生進行時間の時間値よりも時間的に戻った場合（或いは１秒などの所定時間内で時間が戻った場合）には、表示中の再生進行時間がそのまま維持されて表示される動作が実現される。このためユーザが違和感を感じるような再生進行時間表示を解消できる。
【００３２】
また本例は、違和感のある表示の解消を、デコーダ１７において再生進行時間を正確に検出するための複雑な演算処理によって実現するものではない。つまりデコーダ１７では従来と同様、再生進行時間は単純な演算で求める。そしてその算出結果が不都合な値の場合は図２の処理により表示されている時間値を維持するものである。これは、再生進行時間の算出に複雑な演算処理を必要とせず、処理負担の増大はない。つまり装置の処理負担を拡大させずに、表示上の問題を解消できる。
また、特にＶＢＲ−ＭＰ３方式等のデータ形式に特化して再生進行時間を正確に算出するという手法ではないため、多様な方式のデータ再生において図２の処理を採用することができる。
例えば他の可変ビットレート方式のデータ、固定ビットレート方式のデータ、さらには他の圧縮方式のデータ、非圧縮データなどに広く共通に適用できる。特に、上述したようなＶＢＲ−ＭＰ３方式等における事情による再生進行時間の算出誤差だけでなく、例えばＣＤ方式のデータ再生の際において、サブコードデータのデコードエラー等によって再生進行時間の値が乱れた場合などにも、表示上で違和感のない状態を維持できる。
【００３３】
また、このことから本発明は、ＣＤ（Compact Disc）プレーヤ、ミニディスク（Mini Disc）プレーヤ、ＤＶＤ（Digital Versatile Disc）プレーヤ、ブルーレイディスクプレーヤなどの各種のディスク再生装置としても実現できる。さらには、ＨＤＤ（Hard Disc Drive）や固体メモリを記録媒体として用いた再生装置としても実現できる。
また、再生されるデータとしては、ＭＰ３方式に限定されず、例えばＡＡＣ（Advanced Audio Coding）、ＡＴＲＡＣ（Adaptive TRansform Acoustic Coding）、ＷＭＡ（Windows Media Audio)などのオーディオデータの再生について本発明を適用できる。
さらに、オーディオデータ再生だけでなく、ビデオデータ再生においても再生進行時間表示は行われるため、本発明はビデオ再生装置においても適用できる。
【図面の簡単な説明】
【００３４】
【図１】本発明の実施の形態の再生装置のブロック図である。
【図２】実施の形態の再生進行時間表示に関する処理のフローチャートである。
【図３】ＭＰ３オーディオデータファイル構造の説明図である。
【符号の説明】
【００３５】
１１  スピンドルモータ、１２  スピンドルドライバ、１３  光ピックアップ、１４  二軸ドライバ、１５  ＲＦアンプ、１６  サーボ制御部、１７  デコーダ、１８  Ｄ／Ａコンバータ、１９  音声出力部、２０  制御部、２１  表示部、５０  光ディスク
【図１】
2008204551.tif 000003
【図２】
2008204551.tif 000004
【図３】
2008204551.tif 000005